(57)【要約】【課題】シャッタ動作時の摺動面から発生する削れカスを減少しつつ、塗装物の飛散を防止可能なシャッタを提供する。【解決手段】開口を有する地板、前記開口の開閉に用いられる羽根群、および前記地板との間で、前記羽根群を挟み込む補助地板、を備え、前記羽根群に対して、フェノールエポキシ樹脂系塗料が塗装されることを特徴とする、シャッタを提供する。【選択図】図１
2017151232.tif 000002
【特許請求の範囲】
【請求項１】
開口を有する地板、
前記開口の開閉に用いられる羽根群、および
前記地板との間で、前記羽根群を挟み込む補助地板、を備え、
前記羽根群に対して、フェノールエポキシ樹脂系塗料が塗装されることを特徴とする、シャッタ。
【請求項２】
前記羽根群は、先羽根群と後羽根群とを含み、
前記先羽根群の先端を押える押え板、および
前記地板と前記補助地板との間で、前記先羽根群と前記後羽根群との間に挟み込まれる中間板、をさらに備え、
前記フェノールエポキシ樹脂系塗料は、先羽根群、後羽根群、前記押え板および／または前記中間板に対しても塗装される、請求項１記載のシャッタ。
【請求項３】
前記フェノールエポキシ樹脂系塗料は、前記先羽根群、前記後羽根群、前記押え板および前記中間板のうち少なくともいずれか１つの摺動する面に対して塗装される、請求項２記載のシャッタ。
【請求項４】
前記フェノールエポキシ樹脂系塗料は、前記先羽根群、前記後羽根群、及び前記中間版の両面、前記地板の前記先羽根群または前記後羽根群のいずれかと摺動する面、並びに前記押え板の前記先羽根群または前記後羽根群のいずれかと摺動する面に対して塗装される、請求項２または請求項３記載のシャッタ。
【請求項５】
前記請求項１ないし請求項４のいずれかに記載のシャッタを備える、撮像装置。
【発明の詳細な説明】
【技術分野】
【０００１】
本発明の一態様は、カメラなどの撮像装置に用いられるシャッタなどに関する。
【背景技術】
【０００２】
従来、この種の関連技術には、たとえば特許文献１に記載のもののように、摺動面の摩擦による削れカスの発生を低減するフォーカルプレンシャッタが提案されている。このフォーカルプレンシャッタでは、先羽根カシメ軸およびカバー板の斜面部の双方において、摺動する両面にＰＴＦＥ（ポリテトラフルオロエチレン）を分散させた無電解ニッケルメッキを施すことで、削れカスを減少させている。
【先行技術文献】
【特許文献】
【０００３】
【特許文献１】特開２００８−１５２１４６号公報
【発明の概要】
【発明が解決しようとする課題】
【０００４】
ところが、上記のようにＰＴＦＥを分散させて無電解ニッケルメッキ等を施した場合、フッ素の影響で相手部材のメッキ（または塗装）が溶けてしまう可能性がある。そのため、相手部材に使用する塗料が限定されてしまう。また、ＰＴＦＥが分散された無電解ニッケルメッキは摺動性には優れるがメッキ層が柔らかいため、メッキ層に対して一定の圧力が加わった状態で擦れた場合、無電解ニッケルメッキが飛散して細かい粉が飛散してしまう可能性がある。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
第１の発明は、
開口を有する地板、
前記開口の開閉に用いられる羽根群、および
前記地板との間で、前記羽根群を挟み込む補助地板を備え、
前記羽根群に対して、フェノールエポキシ樹脂系塗料が塗装されることを特徴とする、
シャッタである。
【０００７】
第１の発明では、地板（１２）は、たとえば露光のための開口を有している。羽根群（１８，２０）は、たとえば４枚の羽根から構成されており、開口の開閉に用いられる。また、羽根群は、地板と補助地板（１４）とによって挟みこまれる。つまり、地板と補助地板との間が、羽根群の羽根室となる。フェノールエポキシ樹脂系塗料は、たとえばハンドガンなどによって羽根群に対して塗装される。
【０００８】
第１の発明によれば、フェノールエポキシ樹脂系塗料によって塗装することで、羽根群の表面硬度を塗装する前よりも高くすることができる。また、フェノールエポキシ樹脂系塗料によって塗装された表面は、摺動性があり、かつ擦過性も高い。これにより、羽根群の摺動性を向上させ、かつ摺動によるゴミが発生しにくくすることができる。そして、ゴミの発生を抑えることで、シャッタの信頼性を高めることができる。
【０００９】
第２の発明は、上記シャッタにおいて、
前記羽根群は、先羽根群と後羽根群とを含み、
前記先羽根群の先端を押える押え板、および
前記地板と前記補助地板との間で、前記先羽根群と前記後羽根群との間に挟み込まれる中間板をさらに備え、
前記フェノールエポキシ樹脂系塗料は、先羽根群、後羽根群、前記押え板および／または前記中間板に対しても塗装される。
【００１０】
第２の発明では、たとえば先羽根群は先幕といわれ、後羽根群は後幕といわれる。また、シャッタは、フォーカルプレンシャッタと言われることもある。そして、フェノールエポキシ樹脂系塗料は、先羽根群および後羽根群に加えて、押え板および中間板に対しても塗装される。
【００１１】
第２の発明によれば、摺動する各部在に対してフェノールエポキシ樹脂系塗料を塗装することで、ゴミの発生を抑えることができる。
【００１２】
第３の発明は、上記シャッタにおいて、
前記フェノールエポキシ樹脂系塗料は、前記先羽根群、前記後羽根群、前記押え板および前記中間板のうち少なくともいずれか１つの摺動する面に対して塗装される。
【００１３】
第３の発明では、たとえば押え板では、先羽根群および後羽根群と摺動しない部分に対しては、フェノールエポキシ樹脂系塗料が塗装されない。
【００１４】
第３の発明によれば、塗装に使うフェノールエポキシ樹脂系塗料の量を抑えることができる。
【００１５】
第４の発明は、上記シャッタにおいて、
前記フェノールエポキシ樹脂系塗料は、前記先羽根群、前記後羽根群、及び前記中間版の両面、前記地板の前記先羽根群または前記後羽根群のいずれかと摺動する面、並びに前記押え板の前記先羽根群または前記後羽根群のいずれかと摺動する面に対して塗装される。
【００１６】
第４の発明では、先羽根群及び後羽根群が動作する際に摺動する全ての面に対してフェノールエポキシ樹脂系塗料が塗装されることとなる。
【００１７】
第４の発明によれば、摺動する場所の全てに不足なくフェノールエポキシ樹脂系塗料を塗装することとなるため、より効果的にゴミの発生を抑えることが可能となる。
【００１８】
第５の発明は、上記いずれかのシャッタを備える、撮像装置である。
【００１９】
第５の発明によれば、ゴミの発生を抑えることができるため、撮像装置の連写数を増やすことができる。
【００２０】
上記構成のシャッタによれば、ゴミの発生が抑えられるため、シャッタの信頼性を高めることができる。
【図面の簡単な説明】
【００２１】
【図１】本願発明の一実施例であるシャッタの平面図。
【図２】図１に示すシャッタの端面図。
【図３】図１に示すシャッタに含まれる部品の一部の分解斜視図。
【図４】図１に示す羽根の断面図。
【発明を実施するための形態】
【００２２】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
【００２３】
本実施例のフォーカルプレンシャッタは、カメラ等の撮像装置に適用され、それぞれの羽根群を含む摺動面に対してフェノールエポキシ樹脂系塗料が塗装されている点にひとつの特徴がある。以下、本実施形態のフォーカルプレンシャッタについて、図を参照しながら具体的に説明する。
【００２４】
図１は、フォーカルプレンシャッタの平面図である。図２は、図１に示すフォーカルプレンシャッタの端面図である。図３は、図１に示すフォーカルプレンシャッタに含まれる部品の分解斜視図である。以下の説明では、まずフォーカルプレンシャッタの全体構成について説明した後、特徴部分であるフェノールエポキシ樹脂系塗料が塗装される箇所と、その作用について説明する。
【００２５】
図１、図２、及び図３に示されるように、本実施例のフォーカルプレンシャッタ１０は、地板１２、補助地板１４、中間板１６、先羽根群１８、後羽根群２０、及び押え板２２などを備える。
【００２６】
＜地板１２＞
地板１２は、略矩形であり、略中央部分に矩形の開口部が形成されている。また、開口部の短辺の一方には、２つの駆動部材およびセット部材等を取り付けるための軸が設けられている。また、２つの駆動部材のそれぞれと羽根アームとを接続するために、２つの円弧状の長孔が設けられている。このように、地板１２には、フォーカルプレンシャッタの主要な部材が取り付けられるため、地板１２はフォーカルプレンシャッタ１０の基板部分と言える。なお、地板１２は、シャッタ地板、シャッタ基板などと言われることもある。
【００２７】
例えば、開口部の短辺の一方には、駆動部材として機能する、コイル、電磁石として機能する鉄芯部材、などが配置される。コイルに対して外部から通電されると、鉄芯部材が励磁されて電磁石となり、これによって駆動力が発生して羽根アームが駆動される。これらの羽根アームの駆動については従来の技術と同様であるため、ここではその説明を省略する。
【００２８】
＜補助地板１４＞
補助地板１４は、図１に示されるように、地板１２と略同じ形状をしている。また、補助地板１４には、地板１２の開口部と対応する位置で、その開口部と同様の形状をした開口部が形成されている。また、開口部と同様に、地板１２に形成されている２つの円弧状の孔についても、対応する位置に２つの円弧状の孔が補助地板１４に形成されている。また、補助地板１４は、地板１２に対して羽根室となる所定の空間（隙間）を隔てて配置される。詳細な説明は後述するが、この羽根室には、それぞれ複数の羽根を有する先羽根群１８および後羽根群２０が配置されている。なお、補助地板１４は、カバー板などと言われることもある。
【００２９】
＜中間板１６＞
中間板１６は、略中央部分に、地板１２および補助地板１４の開口部と対応する矩形の開口部が形成されている。また、図２に示すように、中間板１６は、地板１２と補助地板１４との間を仕切ることで、２つの羽根室を構成する。これらの羽根室のそれぞれには、後述する先羽根群１８および後羽根群２０が配置される。中間板１６は、先羽根群１８と後羽根群２０との間に挟み込まれた状態となる。なお、中間板１６は、仕切り板と言われることもある。また、図１から分かるように、地板１２、補助地板１４および中間板１６の３つの開口部によって露光開口（画枠）が形成されている。
【００３０】
＜先羽根群１８、後羽根群２０＞
先羽根群１８および後羽根群２０のそれぞれは、略矩形でかつ細長な形状の複数の羽根の集合であり、本実施例では先羽根群１８および後羽根群２０のそれぞれは４枚の羽根の集合である。また、各羽根群はアームと連結されている。これらのアームは、地板１２および駆動部材とさらに連結されている。そして、駆動部材をバネまたは電磁石の力などを用いて駆動させると、各羽根群が走行して、露光開口が開閉される。ここで、各羽根群を走行するために必要なアームおよび駆動部材などについては、一般的なフォーカルプレンシャッタと同様であるため、これらの部材の説明は省略する。なお、先羽根群１８は先幕といわれることがあり、後羽根群２０は後幕と言われることもある。
【００３１】
＜押え板２２＞
押え板２２は、図２及び図３に示されるように、補助地板１４と先羽根群１８との間に配置され、先羽根群１８の先端（図１における右端部分）を中間板１６に対して押えるよう構成される。押え板２２は、コの字状に形成されている。
【００３２】
＜羽根群の動作＞
ここで、図１に示すように露光開口を閉じている先羽根群１８が走行（動作）し、露光開口を開く場合には、先羽根群１８を構成する各羽根は互いに重なり合いながら、平面視で羽根室の上側に収容される。また、収容されている後羽根群が走行する場合には、後羽根群２０を構成する各羽根は重なりを小さくしながら露光開口を閉じていく。先羽根群１８および後羽根群２０を構成する各羽根は、他の羽根、及び対向して配置された他の部材（地板１２、中間板１６、押え板２２）と擦れることになる。このとき、互いに擦れ合う摺動面に処理を施していない場合、摺動面に摩擦が生じ、ゴミが発生することがあるため、本実施例では、以下のように摺動面にフェノールエポキシ樹脂系塗料を塗装している。
【００３３】
＜フェノールエポキシ樹脂系塗料の塗装＞
本実施例のフォーカルプレンシャッタでは、上記のように摺動によってゴミが発生することを防止するため、少なくとも動作時に摺動する部分に対してフェノールエポキシ樹脂系の塗料が塗装されている。フェノールエポキシ樹脂系の塗料は、塗装することで塗装対象部材の表面硬度を硬くすることができる。また、フェノールエポキシ樹脂系の塗料にはフッ素も含まれているものの、固体潤滑剤ではないため、摺動性があり、擦過性も高い。これにより、羽根群の摺動性を向上し、かつ摺動によるゴミが発生しにくくすることができる。そして、ゴミの発生が抑えられるため、フォーカルプレンシャッタの信頼性が高くなる。
【００３４】
図２から分かるように、先羽根群１８及び後羽根群２０が動作したときに摺動する部分は、先羽根群１８及び後羽根群２０と接して配置された、地板１２の後羽根群２０と対向する面、中間版６の両面、及び押え板２２の先羽根群１８と対向する面である。よって、本実施例では、これらの部分に対してフェノールエポキシ樹脂系の塗料が塗装される。フェノールエポキシ樹脂系塗料の塗装は、例えばハンドガンなどによって行われる。ただし、その他にも一般的に知られる種々の方法による塗装が行なわれてもよい。
【００３５】
フェノールエポキシ樹脂系塗料の塗装は、上記以外にも以下のような部分に対して行われてもよい。第１に、実際に摺動する部分のみに限定して塗装が行われてもよい。すなわち、摺動しない部分に対してはフェノールエポキシ樹脂系塗料による塗装が行われないこととなる。このようにすることで、塗装に使用されるフェノールエポキシ樹脂系塗料の量を抑えることができる。
【００３６】
第２に、上記のように特定の面のみでなく、構成部材の略全体に対してフェノールエポキシ樹脂系塗料による塗装を施す方法を採用してもよい。この場合、フェノールエポキシ樹脂系塗料の使用量は増加するものの、作業工程が簡略されることで結果的にコスト安となる場合がある。
【００３７】
図４は、このように、フェノールエポキシ樹脂系塗料が塗装された先羽根群１８の一部の断面図を示している。ここでは先羽根群１８の断面図を示しているが、後羽根群２０などの他の塗装対象部材でも同様の状態となる。図４に示されるように、先羽根群１８には、フェノールエポキシ樹脂系塗料１８１ａ及び１８１ｂが塗装される。そして、その表面には膜１８２ａ及び１８２ｂが形成される。フェノールエポキシ樹脂系の塗料では、塗装粒子が比較的大きいため、他の部材と摺動する際に接触する面積が少なくなり、摺動時の摩擦を軽減させることができる。これによって、塗布対象部材の耐摩耗性を高めることなどが可能となる。
【００３８】
＜補足事項＞
以上、本発明の実施例についての具体的な説明を行った。上記説明は、あくまで一実施例としての説明であって、本発明の範囲はこの一実施例に留まらず、同様の技術思想に基づいて当業者が把握可能な範囲にまで広く解釈されるものである。
【００３９】
上記の実施例では、２組の羽根群を備える両幕構成のフォーカルプレンシャッタについての説明を行ったが、当該構成は１組の羽根群を備える単幕構成のフォーカルプレンシャッタで適用することも可能である。
【００４０】
また、本発明のフォーカルプレンシャッタは、カメラなどの撮像装置に採用することができる。このような撮像装置によれば、連写数を増やしても、撮像された画像の品質をより確実に維持することができる。
【産業上の利用可能性】
【００４１】
本発明のシャッタは、例えばフォーカルプレンシャッタおよびレンズシャッタなどに好適に適用される。
【符号の説明】
【００４２】
１０…フォーカルプレンシャッタ
１２…地板
１４…補助地板
１６…中間板
１８…先羽根群
２０…後羽根群
２２…押え板
１８１ａ、１８１ｂ…フェノールエポキシ樹脂系塗料
１８２ａ、１８２ｂ…膜
【図１】
2017151232.tif 000003
【図２】
2017151232.tif 000004
【図３】
2017151232.tif 000005
【図４】
2017151232.tif 000006